(57)【要約】【課題】資源を極力消費せずに、少量のエネルギーの使用によって、消費した以上の運動エネルギーを創出する。【解決手段】外周縁に複数の永久磁石５を設けた作動ロータ４を回転自在に設け、この作動ロータ４の外周に近接して、外周縁に複数の永久磁石２を設けた駆動ロータ１を設け、この駆動ロータ１の永久磁石２の数は上記作動ロータ４の永久磁石５の数の１倍以上又は１倍未満とし、この駆動ロータ１の隣接する各永久磁石２は相互に反対の極性を有し、これらの反対の極性の二つの永久磁石２の間に上記作動ロータ４の一つの永久磁石５が対向する位置となるようにし、上記駆動ロータ１を回転させた際、上記二つの永久磁石２の一方が作動ロータ４の上記一つの永久磁石５を吸引し、他方が当該永久磁石５をその反発力で押すことにより、作動ロータ４が加速、増幅回転する。【選択図】    図１
2005232965.tif 000002
【特許請求の範囲】
【請求項１】
外周縁に間隔をあけて複数の永久磁石を設けた作動ロータを回転自在に設け、この作動ロータの外周に近接して、外周縁に間隔をあけて複数の永久磁石を設けた駆動ロータを設け、この駆動ロータの永久磁石の数は上記作動ロータの永久磁石の数の１倍以上とし、この駆動ロータの外周に沿って隣接する各永久磁石は相互に反対の極性を有し、これらの反対の極性の二つの永久磁石の間に上記作動ロータの一つの永久磁石が対向する位置となるようにし、上記駆動ロータを駆動、回転させた際、上記反対の極性の二つの永久磁石の一方が作動ロータの上記一つの永久磁石を吸引し、他方が当該永久磁石をその反発力で押すことにより、作動ロータが加速、増幅回転することを特徴とする、運動エネルギー加速増幅装置。
【請求項２】
外周縁に間隔をあけて複数の永久磁石を設けた作動ロータを回転自在に設け、この作動ロータの外周に近接して、外周縁に間隔をあけて複数の永久磁石を設けた駆動ロータを設け、この駆動ロータの永久磁石の数は上記作動ロータの永久磁石の数の１倍未満とし、この駆動ロータの外周に沿って隣接する各永久磁石は相互に反対の極性を有し、これらの反対の極性の二つの永久磁石の間に上記作動ロータの一つの永久磁石が対向する位置となるようにし、上記駆動ロータを駆動、回転させた際、上記反対の極性の二つの永久磁石の一方が作動ロータの上記一つの永久磁石を吸引し、他方が当該永久磁石をその反発力で押すことにより、作動ロータが加速、増幅回転することを特徴とする、運動エネルギー加速増幅装置。
【請求項３】
外周縁に間隔をあけて複数の永久磁石を設けた作動ロータを回転自在に設け、この作動ロータの外周に近接して、外周縁に間隔をあけて複数の永久磁石を設けた駆動ロータを複数個設け、これらの各駆動ロータの永久磁石の数は上記作動ロータの永久磁石の数の１倍以上とし、この駆動ロータの外周に沿って隣接する各永久磁石は相互に反対の極性を有し、これらの反対の極性の二つの永久磁石の間に上記作動ロータの各永久磁石が対向する位置となるように作動ロータ及び駆動ロータの上記永久磁石を構成し、上記各駆動ロータを駆動、回転させた際、上記反対の極性の二つの永久磁石の一方が作動ロータの上記一つの永久磁石を吸引し、他方が当該永久磁石を押すことにより、作動ロータが加速、増幅回転することを特徴とする、運動エネルギー加速増幅装置。
【請求項４】
外周縁に間隔をあけて複数の永久磁石を設けた作動ロータを回転自在に設け、この作動ロータの外周に近接して、外周縁に間隔をあけて複数の永久磁石を設けた駆動ロータを複数個設け、これらの各駆動ロータの永久磁石の数は上記作動ロータの永久磁石の数の１倍未満とし、この駆動ロータの外周に沿って隣接する各永久磁石は相互に反対の極性を有し、これらの反対の極性の二つの永久磁石の間に上記作動ロータの各永久磁石が対向する位置となるように作動ロータ及び駆動ロータの上記永久磁石を構成し、上記各駆動ロータを駆動、回転させた際、上記反対の極性の二つの永久磁石の一方が作動ロータの上記一つの永久磁石を吸引し、他方が当該永久磁石を押すことにより、作動ロータが加速、増幅回転することを特徴とする、運動エネルギー加速増幅装置。
【請求項５】
外周縁に間隔をあけて複数の永久磁石を設けた作動ロータを回転自在に設け、この作動ロータの外周に近接して、外周縁に間隔をあけて複数の永久磁石を設けた駆動ロータを１個又は複数個設け、これらの各駆動ロータの永久磁石の数は上記作動ロータの永久磁石の数の１倍以上とし、この駆動ロータの外周に沿って隣接する各永久磁石は相互に反対の極性を有し、これらの反対の極性の二つの永久磁石の間に上記作動ロータの一つの永久磁石が対向する位置となるようにし、上記作動ロータの中心軸と各駆動ロータの中心軸に相互にかみ合う歯車を設け、上記駆動ロータを駆動、回転させた際、上記反対の極性の二つの永久磁石の一方が作動ロータの上記一つの永久磁石を吸引し、他方が当該永久磁石をその反発力で押すことにより、各駆動ロータの回転軸の歯車が作動ロータの回転軸の歯車を回転させて、作動ロータが加速、増幅回転することを特徴とする、運動エネルギー加速増幅装置。
【請求項６】
外周縁に間隔をあけて複数の永久磁石を設けた作動ロータを回転自在に設け、この作動ロータの外周に近接して、外周縁に間隔をあけて複数の永久磁石を設けた駆動ロータを１個又は複数個設け、これらの各駆動ロータの永久磁石の数は上記作動ロータの永久磁石の数の１倍未満とし、この駆動ロータの外周に沿って隣接する各永久磁石は相互に反対の極性を有し、これらの反対の極性の二つの永久磁石の間に上記作動ロータの一つの永久磁石が対向する位置となるようにし、上記作動ロータの中心軸と各駆動ロータの中心軸に相互にかみ合う歯車を設け、上記駆動ロータを駆動、回転させた際、上記反対の極性の二つの永久磁石の一方が作動ロータの上記一つの永久磁石を吸引し、他方が当該永久磁石をその反発力で押すことにより、各駆動ロータの回転軸の歯車が作動ロータの回転軸の歯車を回転させて、作動ロータが加速、増幅回転することを特徴とする、運動エネルギー加速増幅装置。
【発明の詳細な説明】
【０００１】
【発明の属する技術分野】
この発明は、磁力を応用した回転運動により回転又は直線の運動エネルギーを加速、増幅する装置に関するものである。
【０００２】
【従来の技術】
従来、磁石を応用して色々な永久運動の機構が考案されてきたが、今まで実現されたものは皆無であった。モータや発電機はその出力効率が３０％〜９０％で１００％を越えるものは無かった。エネルギー保存の法則にある通り、１００％を越えるものはないと言うのが社会的な常識であった。
【０００３】
磁石を利用してモータ等の出力効率を向上させることが長年社会の悲願であった。また一方、年々増大する世界のエネルギー需要に応呼するため、資源を極力消費しないで大きなエネルギーを創出することが長年要望されてきたが、未だに実現しなかった。
【０００４】
【発明が解決しようとする課題】
発明者は資源或いはエネルギーを極力消費せずに新たに大きなエネルギーを創出するにはどのようにすれば良いかを考えた。その結果、身近に無限にある磁力を有効活用して、エネルギーを増幅することにより、より大きなエネルギーを創出することを考えた。即ち、この発明は資源を極力消費せずに、少量の電気エネルギーの使用によってモータを回転させ、磁石のＮ極、Ｓ極が有する吸引力と反発力を利用して、当該モータの回転力を加速・増幅させ、消費した以上の運動エネルギーを創出する、運動エネルギー加速増幅装置を提供するものである。
【０００５】
【課題を解決するための手段】
請求項１項の発明は、外周縁に間隔をあけて複数の永久磁石を設けた作動ロータを回転自在に設け、この作動ロータの外周に近接して、外周縁に間隔をあけて複数の永久磁石を設けた駆動ロータを設け、この駆動ロータの永久磁石の数は上記作動ロータの永久磁石の数の１倍以上とし、この駆動ロータの外周に沿って隣接する各永久磁石は相互に反対の極性を有し、これらの反対の極性の二つの永久磁石の間に上記作動ロータの一つの永久磁石が対向する位置となるようにし、上記駆動ロータを駆動、回転させた際、上記反対の極性の二つの永久磁石の一方が作動ロータの上記一つの永久磁石を吸引し、他方が当該永久磁石をその反発力で押すことにより、作動ロータが加速、増幅回転する、運動エネルギー加速増幅装置とした。なお、この発明及び以下の発明でいうロータには真円形は勿論のこと、楕円形、三角形、四角形、その他の多角形等、適宜の形状を含むものである。
【０００６】
請求項２の発明は、外周縁に間隔をあけて複数の永久磁石を設けた作動ロータを回転自在に設け、この作動ロータの外周に近接して、外周縁に間隔をあけて複数の永久磁石を設けた駆動ロータを設け、この駆動ロータの永久磁石の数は上記作動ロータの永久磁石の数の１倍未満とし、この駆動ロータの外周に沿って隣接する各永久磁石は相互に反対の極性を有し、これらの反対の極性の二つの永久磁石の間に上記作動ロータの一つの永久磁石が対向する位置となるようにし、上記駆動ロータを駆動、回転させた際、上記反対の極性の二つの永久磁石の一方が作動ロータの上記一つの永久磁石を吸引し、他方が当該永久磁石をその反発力で押すことにより、作動ロータが加速、増幅回転する、運動エネルギー加速増幅装置とした。
【０００７】
請求項３の発明は、外周縁に間隔をあけて複数の永久磁石を設けた作動ロータを回転自在に設け、この作動ロータの外周に近接して、外周縁に間隔をあけて複数の永久磁石を設けた駆動ロータを複数個設け、これらの各駆動ロータの永久磁石の数は上記作動ロータの永久磁石の数の１倍以上とし、この駆動ロータの外周に沿って隣接する各永久磁石は相互に反対の極性を有し、これらの反対の極性の二つの永久磁石の間に上記作動ロータの各永久磁石が対向する位置となるように作動ロータ及び駆動ロータの上記永久磁石を構成し、上記各駆動ロータを駆動、回転させた際、上記反対の極性の二つの永久磁石の一方が作動ロータの上記一つの永久磁石を吸引し、他方が当該永久磁石を押すことにより、作動ロータが加速、増幅回転する、運動エネルギー加速増幅装置とした。
【０００８】
請求項４の発明は、外周縁に間隔をあけて複数の永久磁石を設けた作動ロータを回転自在に設け、この作動ロータの外周に近接して、外周縁に間隔をあけて複数の永久磁石を設けた駆動ロータを複数個設け、これらの各駆動ロータの永久磁石の数は上記作動ロータの永久磁石の数の１倍未満とし、この駆動ロータの外周に沿って隣接する各永久磁石は相互に反対の極性を有し、これらの反対の極性の二つの永久磁石の間に上記作動ロータの各永久磁石が対向する位置となるように作動ロータ及び駆動ロータの上記永久磁石を構成し、上記各駆動ロータを駆動、回転させた際、上記反対の極性の二つの永久磁石の一方が作動ロータの上記一つの永久磁石を吸引し、他方が当該永久磁石を押すことにより、作動ロータが加速、増幅回転する、運動エネルギー加速増幅装置とした。
【０００９】
請求項５の発明は、外周縁に間隔をあけて複数の永久磁石を設けた作動ロータを回転自在に設け、この作動ロータの外周に近接して、外周縁に間隔をあけて複数の永久磁石を設けた駆動ロータを１個又は複数個設け、これらの各駆動ロータの永久磁石の数は上記作動ロータの永久磁石の数の１倍以上とし、この駆動ロータの外周に沿って隣接する各永久磁石は相互に反対の極性を有し、これらの反対の極性の二つの永久磁石の間に上記作動ロータの一つの永久磁石が対向する位置となるようにし、上記作動ロータの回転軸と各駆動ロータの回転軸に相互にかみ合う歯車を設け、上記駆動ロータを駆動、回転させた際、上記反対の極性の二つの永久磁石の一方が作動ロータの上記一つの永久磁石を吸引し、他方が当該永久磁石をその反発力で押すことにより、各駆動ロータの回転軸の歯車が作動ロータの回転軸の歯車を回転させて、作動ロータが加速、増幅回転する、運動エネルギー加速増幅装置とした。
【００１０】
請求項６の発明は、外周縁に間隔をあけて複数の永久磁石を設けた作動ロータを回転自在に設け、この作動ロータの外周に近接して、外周縁に間隔をあけて複数の永久磁石を設けた駆動ロータを１個又は複数個設け、これらの各駆動ロータの永久磁石の数は上記作動ロータの永久磁石の数の１倍未満とし、この駆動ロータの外周に沿って隣接する各永久磁石は相互に反対の極性を有し、これらの反対の極性の二つの永久磁石の間に上記作動ロータの一つの永久磁石が対向する位置となるようにし、上記作動ロータの中心軸と各駆動ロータの中心軸に相互にかみ合う歯車を設け、上記駆動ロータを駆動、回転させた際、上記反対の極性の二つの永久磁石の一方が作動ロータの上記一つの永久磁石を吸引し、他方が当該永久磁石をその反発力で押すことにより、各駆動ロータの回転軸の歯車が作動ロータの回転軸の歯車を回転させて、作動ロータが加速、増幅回転する、運動エネルギー加速増幅装置とした。
【００１１】
【作用】
上記各請求項の発明においては、図１に示すように、駆動ロータ１の外周縁には間隔をあけて設けた複数の永久磁石２の、隣接する各永久磁石２は相互に反対の極性を有し、これらの反対の極性の二つの永久磁石２、２´の間に、作動ロータ４の一つの永久磁石５が対向する位置となるようにしているため、上記駆動ロータ１を反時計方向に回転させた際、上記反対の極性の二つの永久磁石の一方の永久磁石２（Ｎ極）が作動ロータ４の上記一つの永久磁石５（Ｓ極）を吸引し、他方の永久磁石２´（Ｓ極）が当該永久磁石５（Ｓ極）をその反発力で押すことにより、作動ロータ４が時計方向に回転する。この様にして駆動ロータ１の外周の隣接する永久磁石２の磁束の間に、作動ロータ４の一つの永久磁石５の磁束が入り、これらの駆動ロータ１と作動ロータ４の回転により、駆動ロータ１の外周の永久磁石２の磁束と作動ロータ４の磁束が次々に歯車のように噛み合い、これにより作動ロータ４が回転する。また、その際作動ロータ４の永久磁石５の数と駆動ロータ１の永久磁石２の数の比により、作動ロータ４の回転は加速、増幅される。また、駆動ロータ１の外周の永久磁石２、及び作動ロータ４の永久磁石５はいずれも円周から円心に向かって磁化されており、各永久磁石の磁束は、図１の斜線で囲まれた部分で示す。そして、この装置で得られた上記作動ロータ４の回転を、そのまま回転力として利用しても良く、この回転を直線運動に変えて利用することもできる。
【００１２】
【発明の実施の形態】
以下この発明の実施の形態例を図に基づいて説明する。
図２は、作動ロータ４の外周の相対する２箇所に駆動ロータ１を設けた、この発明の第１の実施の形態例を示す。外周縁に、等間隔で４個の永久磁石５を設けた作動ロータ４を、当該作動ロータ４と一体に設けた中心軸６を中心に回転自在に設けている。これらの外周に沿って隣接する各永久磁石５は相互に反対の極性を有している。従って、各永久磁石５は９０度の間隔で、Ｎ極とＳ極が相互に配置されている。
【００１３】
そして、この作動ロータ４の外周の相対する２箇所に、当該外周に近接して、作動ロータ４の直径の２倍の直径を有する駆動ロータ１、１を設けている。これらの各駆動ロータ１はこれと一体に設けた中心軸３を中心に回転自在である。この駆動ロータ１の外周縁には、等間隔で８個の永久磁石２を設け、これらの外周に沿って隣接する各永久磁石２は相互に反対の極性を有している。従って、各永久磁石２は４５度の間隔で、Ｎ極とＳ極が相互に配置されている。また、作動ロータ４と駆動ロータ１の外周の間隔は、永久磁石の吸引力並びに反発力が最大になる間隔に設定すれば良い。また、上記駆動ロータ１及び作動ロータ４の材質は、非磁性体からできており、上記の所定の箇所に溝を設けて、これらの溝の中に上記永久磁石２又は５を埋め込んでいる。さらに、駆動ロータ１及び作動ロータ４はいずれも数センチの厚みがあるが、これらの厚みは必要に応じて適宜に決めればよい。
【００１４】
これらの各駆動ロータ１の相互に反対の極性の、隣接する二つの永久磁石２，２の間に上記作動ロータ４の一つの永久磁石５が対向する位置となるように配置し、上記駆動ロータ１をモータ等の適宜の手段で駆動、回転させた際、駆動ロータ１の上記反対の極性の二つの永久磁石２，２の一方が作動ロータ４の上記一つの永久磁石５を吸引し、他方が当該永久磁石５をその反発力で押すことにより、作動ロータ４が中心軸６を中心に回転する構成となっている。これにより、駆動ロータ１が１回転すると、作動ロータ４は２回転し、回転が加速される。また、作動ロータ４は両側の二つの駆動ロータ１、１により回転力が伝達され、トルクが増幅される。
【００１５】
この実施の形態例では、作動ロータ４の永久磁石５の数と駆動ロータ１の永久磁石２の数の比を１：２としたため、作動ロータ４の回転数は２倍となった。これは一例であって、作動ロータ４の永久磁石５の数と駆動ロータ１の永久磁石２の数の比を１：３とすれば、作動ロータ４の回転数は３倍、作動ロータ４の永久磁石５の数と駆動ロータ１の永久磁石２の数の比を１：３とすれば、作動ロータ４の回転数は３倍、すれば、作動ロータ４の回転数は４倍となり、作動ロータ４の永久磁石５の数と駆動ロータ１の永久磁石２の数の比によって、作動ロータ４の回転数は変化して出力するものである。
【００１６】
図３は、この発明の運動エネルギー加速増幅装置を、発電機に使用した、第２の実施の形態例の説明図である。
中心軸６の一端には、はずみ車７が取り付けられ、その中間部には、中心ギア８が取り付けられている。この中心ギア８の上下の中心軸６にそれぞれ作動ロータ４、４が固定されており、当該中心軸６は回転自在に支持されている。この中心軸６の周辺には、２本の中心軸３が配置され、上記中心ギア８に噛み合った周辺ギア９が各中心軸３に固定されている。これらの周辺ギア９と中心ギア８のギア比は２：１で、直径の２倍であり、周辺ギア９が１回転する間に中心ギア８は２回転する。
【００１７】
また、これらの各周辺ギア９の上下の中心軸３に駆動ロータ１が設けられ、これらの各駆動ロータ１の外周は、上記上下の各作動ロータ４の外周に近接して配置している。また、これらの駆動ロータ１と作動ロータ４の構成関係は上記第１の実施の形態例と同様であるので説明を省略する。また、上記各中心軸３の一端にはサーボモータ１０が取り付けられている。
上記中心軸６の上端にはＴ字型ギア１１が取り付けられ、そのＴ字型ギア１１の一端は、出力発電機水平回転軸１２ａを介して出力発電機１２に、他の一端は駆動発電機水平回転軸１３ａを介して駆動発電機１３に連結されている。そして駆動発電機１３で得られた電力は、駆動バッテリー１４に蓄電されるようになっている。
【００１８】
上記の第２の実施の形態例のおいて、各サーボモータ１０を回転させると、各中心軸３が回転を始める。すると、上記第１の実施の形態例と同様に（図２参照）、駆動ロータ１の外周に沿って隣接する二つの相互に反対の極性の永久磁石２の間に位置する作動ロータ４の永久磁石５が、これらの反対の極性の二つの永久磁石２の、一方の永久磁石２（Ｎ極）が作動ロータ４の上記一つの永久磁石５（Ｓ極）を吸引し、他方の永久磁石２（Ｓ極）が当該永久磁石５（Ｓ極）をその反発力で押すことにより、作動ロータ４が回転する。その際周辺ギア９と中心ギア８とが噛み合って回転するため、駆動ロータ１の回転は、確実に作動ロータ１に伝わる。
【００１９】
そして、二つの駆動ロータ１により一つの作動ロータ４が回転され、かつ、これらの構成が上下二組設けられているため、駆動ロータ１の吸引力並びに反発力が、作動ロータ４乃至はこれらの中心軸６に集中され、加速・増幅されるので、当該中心軸６の回転力は一層高まる。そして、Ｔ字型ギア１１を介して、その回転力の一部は駆動発電機１３を駆動して発電を行う。ここで発生した電力は、駆動バッテリー１４に蓄えられ、また、サーボモータ１０を駆動して発電が継続される。また、一部は出力発電機１２を駆動して大量の発電を行うことができる。
【００２０】
なお、モータ、発電機は一旦回転を始めると、その回転を維持し続けるには、あまり電力を消費しなくて済む。ましてや、この実施の形態例では中心軸６にはずみ車７を設けているのでサーボモータ１０の消費電力は極めて少なくて済み、中心軸６の回転力が一層加速・増幅されるので、時にはサーボモータ１０の電磁作用により、サーボモータ１０に起電力が発生し、その電力は駆動バッテリー１４に蓄電されるので、サーボモータ１０の消費電力はゼロか極めて低いものになる。つまり、極めて僅かの電気エネルギーの使用によって、多量の電力を発電することができるものである。
【００２１】
なお、上記実施の形態例では、一つの作動ロータ４に対して二つの駆動ロータ１、１を設けたが、一つの作動ロータ４に対して一つの駆動ロータ１、又は二つ以上の駆動ロータ１により作動ロータ４を回転させても良い。又、駆動ロータ１の永久磁石２の数を作動ロータ４の永久磁石５の数の１倍以上とすることにより、作動ロータ４の回転数は加速・増幅して出力するものであるが、駆動ロータ１の永久磁石２の数を作動ロータ４の永久磁石５の数の１倍未満とすることにより、作動ロータ４の回転は加速されないが、トルクは上がり、増幅作用が行われる。また、上記実施の形態例では、中心ギアとこれに噛み合う周辺ギアを設けて、回転伝達を確実にしたが、これはこの発明の必須要件ではない。
【００２２】
【発明の効果】
請求項１乃至６項の発明は、駆動ロータを回転させることにより、作動ロータに回転を伝達するとともに、磁石の吸引力及び反発力を利用して作動ロータの回転を加速、増幅し、入力エネルギー以上の出力エネルギーを創出することができる。従って、発電機の駆動回転や自動車等の乗り物の駆動に適している。
【図面の簡単な説明】
【図１】この発明の原理作用を示す説明平面図である。
【図２】この発明の第１の実施の形態例の説明平面図である。
【図３】この発明の第２の実施の形態例の説明斜視図である。
【符号の説明】
１    駆動ロータ                  ２    永久磁石
３    中心軸                      ４    作動ロータ
５    永久磁石                    ６    中心軸
７    はずみ車                    ８    中心ギア
９    周辺ギア                  １０    サーボモータ
１１    Ｔ字型ギア                １２    出力発電機
１３    駆動発電機                １４    駆動バッテリー
【図１】
2005232965.tif 000003
【図２】
2005232965.tif 000004
【図３】
2005232965.tif 000005